(57)【要約】【課題】表示画面を閉じた際に生じる物理的ストレスの軽減を図ること。【解決手段】表示装置１００は、表示領域１０４がそれぞれ表示画面１０１を有する複数の重ねられた表示基板１０２により構成されている。表示基板１０２は、表示画面１０１に平行な方向に摺動自在に構成されている。また、表示領域１０４は、複数の表示基板１０２を摺動することによって表出される。表示領域１０４は、一または複数の表示基板１０２の表示画面１０１により、単一の表示領域１０４が構成されている。【選択図】図１
2007114694.tif 000002
【特許請求の範囲】
【請求項１】
それぞれ表示画面を有する複数の重ねられた表示基板が、前記表示画面に平行な方向に摺動自在に構成されていることを特徴とする表示装置。
【請求項２】
前記複数の表示基板を摺動することによって表出される一または複数の表示基板の表示画面により、単一の表示領域が構成されていることを特徴とする請求項１に記載の表示装置。
【請求項３】
前記単一の表示領域の大きさに応じて映像を表示することを特徴とする請求項２に記載の表示装置。
【請求項４】
前記複数の表示基板を摺動することにより、前記表示画面に対する電源のＯＮ／ＯＦＦを制御することを特徴とする請求項１〜３のいずれか一つに記載の表示装置。
【請求項５】
前記複数の表示基板を前記表示画面が表出するように摺動することにより、前記複数の表示基板が扇形形状に構成されることを特徴とする請求項１〜４のいずれか一つに記載の表示装置。
【請求項６】
前記複数の表示基板を振動させることにより発電することを特徴とする請求項１〜５のいずれか一つに記載の表示装置。
【請求項７】
複数の表示画面からなる表示領域が拡縮自在に構成されていることを特徴とする表示装置。
【請求項８】
複数の重ねられた表示基板を当該表示基板の基板面に平行な方向に摺動させることにより表出される、前記複数の表示基板によって形成される表示画面を有する表示手段と、
前記表示画面を制御する、第１縁部に設けられた第１の検出制御部と、前記表示画面の第２の縁部に設けられた第２の検出制御部とにより構成される制御手段と、
を備え、
前記制御手段は、
前記第１の検出制御部と、前記第２の検出制御部との距離または角度の少なくともいずれか一方を検出するものであり、検出された前記距離または前記角度の少なくともいずれか一方に基づいて、表示領域を制御することを特徴とする表示装置。
【請求項９】
前記複数の表示基板は、前記表示基板の基板面に平行な方向に摺動自在に構成されていることを特徴とする請求項８に記載の表示装置。
【請求項１０】
複数の重ねられた表示基板を当該表示基板の基板面に平行な方向に摺動させることにより表出される、前記複数の表示基板によって形成される表示画面を有する表示装置の表示方法において、
前記表示画面の両端の距離または角度のいずれか一方を検出する検出工程と、
前記検出工程によって検出された前記距離または前記角度のいずれか一方に基づいて、表示領域を制御する制御工程と、
を含むことを特徴とする表示方法。
【発明の詳細な説明】
【技術分野】
【０００１】
この発明は、映像を表示する表示装置および表示方法に関する。しかし、この発明は、映像を表示する表示装置および表示方法に限られない。
【背景技術】
【０００２】
従来、フィルム状の情報記録表示媒体を用いたデジタルペーパー表示装置が知られている。このデジタルペーパー表示装置は、可視画像の表示維持が可能なフィルム状のデジタル表示部を有し、多重に折り畳み、かつ展開が可能である。このデジタルペーパー表示装置は、デジタル表示部が扇形状であり、この扇形状の両端が親骨により支持されるとともに、両端に配置された両親骨の一端部が回動自在に留められている。このようにデジタルペーパー表示装置は、デジタル表示部を扇形状に展開して画像を表示させ、折り畳んで棒状にして容易に携帯することができる（たとえば、下記特許文献１参照。）。
【０００３】
【特許文献１】特開２００５−１５７０８５号公報
【発明の開示】
【発明が解決しようとする課題】
【０００４】
しかしながら、上述した特許文献１に記載の技術では、扇子の扇面にフィルム状のデジタル表示部を張り付けているため、扇子を閉じる場合には、デジタル表示部も折り曲げて閉じる必要があり、折り目に物理的ストレスが生じる。そのため、デジタル表示部の開閉を繰り返していると、物理的ストレスの蓄積によりデジタル表示部が破損し、使用できなくなってしまうという問題点が一例として挙げられる。
【０００５】
また、物理的ストレスを低減するため、デジタル表示部を折り畳まない構成とすると、デジタルペーパー表示装置の持ち運びが不便であるという問題点が一例として挙げられる。また、デジタル表示部が露出しているため、デジタル表示部に傷が付きやすくなる。デジタル表示部に傷が付くと、映像が見にくくなったり、デジタル表示部の破損により、使用できなくなってしまうという問題点が一例として挙げられる。
【課題を解決するための手段】
【０００６】
上述した課題を解決し、目的を達成するため、請求項１の発明にかかる表示装置は、それぞれ表示画面を有する複数の重ねられた表示基板が、前記表示画面に平行な方向に摺動自在に構成されていることを特徴とする。
【０００７】
また、請求項７の発明にかかる表示装置は、複数の表示画面からなる表示領域が拡縮自在に構成されていることを特徴とする。
【０００８】
また、請求項８の発明にかかる表示装置は、複数の重ねられた表示基板を当該表示基板の基板面に平行な方向に摺動させることにより表出される、前記複数の表示基板によって形成される表示画面を有する表示手段と、前記表示画面を制御する、第１縁部に設けられた第１の検出制御部と、前記表示画面の第２の縁部に設けられた第２の検出制御部とにより構成される制御手段と、を備え、前記制御手段は、前記第１の検出制御部と、前記第２の検出制御部との距離または角度の少なくともいずれか一方を検出するものであり、検出された前記距離または前記角度の少なくともいずれか一方に基づいて、表示領域を制御することを特徴とする。
【０００９】
また、請求項１０の発明にかかる表示方法は、複数の重ねられた表示基板を当該表示基板の基板面に平行な方向に摺動させることにより表出される、前記複数の表示基板によって形成される表示画面を有する表示装置の表示方法において、前記表示画面の両端の距離または角度のいずれか一方を検出する検出工程と、前記検出工程によって検出された前記距離または前記角度のいずれか一方に基づいて、表示領域を制御する制御工程と、を含むことを特徴とする。
【発明を実施するための最良の形態】
【００１０】
以下に添付図面を参照して、この発明にかかる表示装置および表示方法の好適な実施の形態を詳細に説明する。
【００１１】
（表示装置の構成）
まず、この発明の実施の形態にかかる表示装置について説明する。実施の形態では、表示装置の一例として、扇子型の形状を有する表示装置について説明する。図１〜図３は、この発明の実施の形態にかかる表示装置を示す平面図である。具体的には、図１は全開状態、図２は半開き状態、図３は畳み込まれた状態を示している。
【００１２】
図１〜図３において、表示装置１００は、それぞれ表示画面１０１（１０１ａ〜１０１ｇ）を有する複数の重ねられた表示基板１０２（１０２ａ〜１０２ｇ）が、表示画面１０１に平行な方向に摺動自在に構成されている。ここで、表示画面１０１には、映像１０３が表示される。表示基板１０２は、各基板表面（基板面）がそれぞれ表示画面１０１となっている。具体的には、たとえば、表示基板１０２ｇの基板表面は、表示画面１０１ｇとなっている。また、この実施の形態では、表示基板１０２の片面に表示する例について説明するが、表示基板１０２の両面に表示する構成とすることもできる。
【００１３】
また、各表示基板１０２は、表示画面１０１に平行な方向に摺動自在に構成されており、図１の全開状態から表示基板１０２の全部を摺動すると畳み込み状態となる。また、全開状態から表示基板１０２の一部を摺動すると半開き状態とすることができる。
【００１４】
また、表示装置１００は、複数の表示基板１０２を摺動することによって表出される一または複数の表示基板１０２の表示画面１０１により、単一の表示領域１０４が構成されてもよい。ここで、表示領域１０４とは、映像１０３が表示される領域であり、具体的には、表示基板１０２を摺動することにより表出された表示画面１０１により構成される領域である。
【００１５】
より具体的には、表示領域１０４は、図１に示す全開状態では、表示画面１０１ａ〜１０１ｇにより構成されている。また、図２に示す半開き状態の場合は、表出されている表示基板１０２の表示画面１０１のみにより単一の表示領域１０４を構成されている。具体的には、図２において、表示領域１０４は、表示基板１０２ｃ〜１０２ｇにより構成されている。図１および図２においては、複数の表示画面１０１により構成されている表示領域１０４の一部に映像１０３を表示している。
【００１６】
また、表示装置１００は、複数の表示画面１０１からなる表示領域１０４が拡縮自在に構成されている。ここで、拡縮とは、拡大あるいは縮小のことである。表示領域１０４は、表示基板１０２の摺動により拡縮することができる。具体的には、たとえば、表示基板１０２を摺動し、新たに表示画面１０１が表出された場合には、表示領域１０４は拡大される。
【００１７】
また、表示基板１０２を摺動し、表示画面１０１の一部を畳み込んだ場合には、表示領域１０４は縮小される。このように、表示領域１０４は、表示装置１００の全開状態の表示画面１０１の大きさを最大として、自由に拡縮することができる構成となっている。
【００１８】
また、表示装置１００は、たとえば表示画面１０１ａ〜１０１ｅによって表示画面１０１が形成されている場合に、この表示画面１０１を制御する制御部（不図示）を設けていてもよい。ここで、表示画面の制御について説明する。たとえば、表示画面１０１を形成する表示基板１０２ａの縁（第１の縁部）と表示基板１０２ｅの縁（第２の縁部）にそれぞれ検出制御部（不図示）を設ける。ここで、第１の縁部とは、表示基板１０２ａの外側の縁である。また、第２の縁部とは、表示基板１０２ｅの外側の縁である。
【００１９】
この検出制御部は、２つの検出制御部間の距離または角度の少なくともいずれか一方を検出する。また、表示画面１０１の両端の距離を検出してもよい。検出制御部は、たとえば表示基板１０２ａ、１０２ｅを支える親骨１０５に設けてもよく、表示基板１０２ａ、１０２ｅの内部に設けてもよい。
【００２０】
そして、たとえば全開状態の２つの検出制御部間の距離（角度）を記憶しておき、当該距離に対する、検出制御部によって検出された２つの検出制御部間の距離（角度）の比率によって表示領域１０４を決定する。そして、決定された表示領域１０４に映像を表示するように制御する構成としてもよい。
【００２１】
また、表示装置１００は、単一の表示領域１０４の大きさに応じて映像１０３を表示することもできる。たとえば、表示基板１０２の一部が畳み込まれ（半開き状態）、表示領域１０４が縮小された場合には、当該縮小に伴って映像１０３を小さくして表示する。また、表示基板１０２が畳み込まれた状態から表示基板１０２を表出し、表示領域１０４が拡大した場合には、当該拡大に伴って映像１０３を拡大して表示する。
【００２２】
具体的には、たとえば、表示領域１０４が表示基板１０２ｃ〜１０２ｇにより構成されている場合に、新たに表示基板１０２ａおよび１０２ｂを表出し、表示基板１０２ａ〜１０２ｇにより表示領域１０４が構成される場合には、新たに表示基板１０２ａおよび１０２ｂを表出する前に映し出されていた映像１０３は拡大して表示される。
【００２３】
また、表示装置１００は、複数の表示基板１０２を摺動することにより、表示画面１０１に対する電源のＯＮ／ＯＦＦを制御することもできる。たとえば、表示装置１００が畳み込まれた状態では電源をＯＦＦとし、半開き状態あるいは全開状態では電源をＯＮとする。畳み込まれた状態については後述する。
【００２４】
電源の制御は、具体的には、たとえば、表示装置１００が畳み込まれた状態から表示基板１０２を摺動し、表示基板１０２が半開き状態あるいは全開状態となると、電源はＯＦＦからＯＮに切り替わる。また、表示装置１００が全開状態あるいは半開き状態から表示基板１０２を摺動し、表示基板１０２が畳み込まれた状態となると電源はＯＮからＯＦＦに切り替わる。
【００２５】
また、電源のＯＮ／ＯＦＦは、表示基板１０２ごとに制御することもできる。たとえば、表出されている表示基板１０２の電源をＯＮとし、表出されていない表示基板１０２の電源はＯＦＦとする。具体的には、たとえば、図２に示した半開き状態では、表示基板１０２ｃ〜１０２ｇの電源はＯＮとなっており、表示基板１０２ａおよび１０２ｂはＯＦＦとなっている。この半開き状態から表示基板１０２ａおよび１０２ｂを表出すると、表示基板１０２ａおよび１０２ｂの電源はＯＮとなる。
【００２６】
また、全開状態から表示基板１０２ａおよび１０２ｂのみを畳み込むと、表示基板１０２ａおよび１０２ｂの電源はＯＦＦとなる。そして、表示基板１０２全体を畳み込むと、表示装置１００の電源がＯＦＦとなる。
【００２７】
ここで、畳み込まれた状態について説明する。図３において、表示装置１００が畳み込まれた状態では、各表示基板１０２の表示画面１０１は、他の表示画面１０１にそれぞれ平行となっている。具体的には、たとえば、表示基板１０２ａの表示画面１０１ａは、表示画面１０１ｂ〜１０１ｇそれぞれに平行となるように畳み込まれている。また、この折り畳まれた状態において、表面となる１０２ａまたは１０１ｇに小型の表示エリアを設け、時刻、文字放送などを表示するようにしてもよい。
【００２８】
また、表示装置１００は、複数の表示基板１０２を振動させることにより発電する機能を有している。たとえば、表示装置１００が全開状態あるいは半開き状態の場合に、表示装置１００を仰ぐ動作により発電することができる。
【００２９】
以上説明したように、実施の形態の表示装置によれば、表示画面の畳み込みを摺動によりでき、収納する際に表示画面の物理的ストレスを低減し、破損を防ぐことができる。そのため、表示装置の長寿命化を図ることができる。
【００３０】
また、表示装置を使用しない場合には、表示画面を畳み込むことにより、表示画面に傷が付きにくくなる。また、表示画面を畳み込むことにより、コンパクトな形状とすることができる。そのため、表示装置の携帯性の向上と、長寿命化を図ることができる。
【実施例１】
【００３１】
（表示装置の構造）
つぎに、この発明の実施の形態にかかる表示装置１００の一実施例（実施例１）について説明する。実施例１では、表示装置１００の一例として、扇面に表示画面を有する扇子型ディスプレイについて説明する。図４〜図６は、この発明の実施例１にかかる扇子型ディスプレイを示す平面図である。具体的には、図４は全開状態、図５は半開き状態、図６は畳み込まれた状態を示している。図４において、扇子型ディスプレイ４００は、７枚の表示基板４０１ａ〜４０１ｇと、２本の親骨４０２と、中骨４０３と、要４０４と、により構成されている。
【００３２】
扇子型ディスプレイ４００は、表示基板４０１ａ〜４０１ｇによって形成される扇面が表示画面４０５となっている。各表示基板４０１は、当該表示基板４０１の表示画面４０５に平行な方向に摺動可能な構成となっている。
【００３３】
表示基板４０１ａ〜４０１ｇは、それぞれ同様の形状を有している。具体的には、表示基板４０１ａ〜４０１ｇは、等脚台形の形状を有している。この等脚台形は、一組の平行な辺４１０（長辺を４１０ａ、短辺を４１０ｂとする）よりも、他の平行でない辺４１１の方が長い形状となっている。また、各表示基板４０１は、各表示基板４０１の平行でない辺４１１同士が重なるように、表示画面４０５に平行な方向に並べて構成され、単一の扇形の表示画面４０５を形成している。
【００３４】
また、各表示基板４０１は、同一平面上に位置しておらず、たとえば、表示基板４０１を畳み込むと、表示基板４０１ｂの表面（表示画面４０５側）は、表示基板４０１ｃの裏面と向かい合う構成となっている。また、表示基板４０１ａ、４０１ｇには、親骨４０２がそれぞれ取り付けられている。
【００３５】
また、各表示基板４０１には、当該表示基板４０１を表出した際に、扇形の扇面を形成するように、図示しない表示基板４０１の摺動を誘導する誘導手段を設けてもよい。誘導手段は、たとえば、スリットと突起部によって構成することができる。具体的には、たとえば、表示基板４０１ｂの表面に突起部を設け、表示基板４０１ｃにスリットを設ける。突起部は、表示基板４０１ｂに表示基板４０１ｃを重ねた場合に、スリットに挿入されるように構成する。
【００３６】
表示基板４０１には、たとえば、ガラス基板、フィルム状基板などを用いることができる。また、表示基板４０１の表示方式としては、たとえば、有機ＥＬ（Ｅｌｅｃｔｒｏ  Ｌｕｍｉｎｅｓｃｅｎｃｅ）、液晶、電気泳動、磁気泳動、エレクトロミックなどが挙げられる。
【００３７】
親骨４０２は、等脚台形の一組の平行な辺４１０のそれぞれの中点を通るように取り付けられている。親骨４０２は、表示基板４０１ａの表示画面４０５の裏面側に取り付けられている。また、親骨４０２は、表示基板４０１ｇには表示画面４０５側に取り付けられている。また、親骨４０２は、各表示基板４０１の短辺４１０ｂを貫く方向に延びている。また、親骨４０２は、内部にアンテナ、復調部、演算部、各種センサなどが内蔵されておりコントロール部として機能する。これらの機能の説明については後述する。
【００３８】
また、表示基板４０１ｂ〜４０１ｆには、中骨４０３が取り付けられている。中骨４０３は、表示基板４０１の一組の平行な辺４１０のそれぞれの中点を通るように、表示画面４０５の裏面側に取り付けられている。中骨４０３は、各表示基板４０１の短辺４１０ｂを貫く方向に延びている。
【００３９】
また、親骨４０２および中骨４０３は、それぞれ等しい長さとなっている。また、親骨４０２および中骨４０３は、それぞれの一端近傍において、要４０４により表示基板４０１が摺動自在となるように連結されている。この要４０４を支点として表示基板４０１を摺動し、表示画面４０５を開閉することができる。
【００４０】
つぎに、表示基板４０１の一部を表出させた扇子型ディスプレイ４００（半開き状態）について説明する。図５において、扇子型ディスプレイ４００の表示画面４０５は、表示基板４０１ｃ〜４０１ｇにより扇形に構成されている。表出されていない表示基板４０１ａ、４０１ｂには、表示基板４０１ｃが重ねられている。この半開き状態では、親骨４０２と、表示基板４０１ｂおよび４０１ｃに取り付けられた中骨４０３とが重なっている。
【００４１】
つぎに、扇子型ディスプレイ４００の表示基板４０１が畳み込まれた状態について説明する。図６において、扇子型ディスプレイ４００は、要４０４を支点として各表示基板４０１を摺動し、当該各表示基板４０１を重ね合わせることにより、表示画面４０５を閉じることができる。閉じた状態では、各表示基板４０１はそれぞれ重なっており、親骨４０２と中骨４０３も重なっている。
【００４２】
（扇子型ディスプレイのハードウェア構成）
つぎに、この発明の実施例１にかかる扇子型ディスプレイ４００のハードウェア構成について説明する。図７は、この発明の実施例１にかかる扇子型ディスプレイのハードウェア構成の一例について示す説明図である。親骨４０２と中骨４０３とは、要４０４を介して電気的に接続されている。また、各表示基板４０１は、中骨４０３および要４０４を介して電気的に接続されている。映像信号、音声信号、制御信号、電源などは、親骨４０２、中骨４０３、要４０４などを介して伝わる。
【００４３】
図７において、親骨４０２は、アンテナ７０１と、復調部７０２と、演算部７０３と、角度センサ７０４と、加速度センサ７０５と、を備えている。また、各構成部７０１〜７０５は、バス７０６によりそれぞれ接続されている。まず、復調部７０２は、アンテナ７０１を介して映像情報の含まれている電波を受信し、復調出力する。また、演算部７０３は、表示領域４２１あるいは表示された映像の拡縮の制御をおこなう。演算部７０３は、たとえば、後述する角度センサ７０４によって検出された角度から表示領域４２１あるいは映像の拡縮の制御をおこなう。
【００４４】
また、角度センサ７０４は、２本の親骨４０２間の角度を検出する。たとえば、角度センサ７０４によって検出された角度により、扇子型ディスプレイ４００の電源のＯＮ／ＯＦＦを制御することもできる。具体的には、たとえば、図６に示した扇子型ディスプレイ４００が畳み込まれた状態（２本の親骨４０２が重なっているの場合）では、電源をＯＦＦとする。また、予め定められている所定の角度以上の角度が検出された場合に電源をＯＮとする。
【００４５】
また、たとえば、角度センサ７０４によって検出された角度によって扇子型ディスプレイ４００の表示領域４２１の拡縮を制御することもできる。表示領域４２１の拡縮は、具体的には、たとえば、図示しない記憶部に、２本の親骨４０２との間の角度と表示領域４２１の大きさの関係を記憶しておき、検出された角度に応じて表示領域４２１を拡縮する。
【００４６】
また、角度と表示領域４２１の大きさが記憶されていない場合でも、たとえば、扇子型ディスプレイ４００の全開状態の角度と、角度センサ７０４によって検出された角度とから表示領域４２１を算出することができる。また、加速度センサ７０５は、扇子型ディスプレイ４００の本体の加速度を検出する。この加速度センサ７０５により、たとえば、扇子型ディスプレイ４００を扇ぐ動作を検出することができる。
【００４７】
また、表示領域４２１を形成している表示基板４０１ａ〜４０１ｇは、それぞれ画像メモリ７１１と、表示部７１２と、を備えている。画像メモリ７１１は、映像を一時格納し、表示部７１２に表示する。また、上述した扇子型ディスプレイ４００のハードウェア構成では、親骨４０２の内部に加速度センサ７０５を備えた構成を説明したが、加速度センサ７０５は、表示基板４０１の内部に設けていてもよい。加速度センサ７０５を表示基板４０１の内部に設けることにより、直接に扇面の加速度を検出することができる。
【００４８】
また、たとえば、扇子型ディスプレイ４００赤外線による映像信号出力手段を備えた他の機器から、映像信号を入力することができる受光手段を要４０４に備えることもできる。
【００４９】
（扇子型ディスプレイの表示例）
つぎに、この発明の実施例１の扇子型ディスプレイ４００の表示例について説明する。図４において、表示画面４０５に長方形の表示領域４２１となっており、当該表示領域４２１には顔が表示されている。上述したように、表出された表示画面４０５の一部に単一の表示領域４２１を設けてもよく、表示画面４０５全体を表示領域４２１とすることもできる。また、表示領域４２１は、図４に示したように長方形状にしてもよく、扇形の表示画面４０５の輪郭に沿うように弧状にしてもよい。
【００５０】
表示領域４２１を長方形状にした場合には、通常のディスプレイと同様の画面配置となり、たとえば、写真、動画などを歪みなく表示することができる。また、たとえば、文字情報を表示する場合には、表示画面４０５に弧状に表示することにより、多くの文字情報を表示することができる。上述した表示領域４２１の形状の切り替えは、たとえば、後述する入力手段を用いておこなうことができる。
【００５１】
また、扇子型ディスプレイ４００の表示画面４０５の一部を開いた状態（半開き状態）でも映像を表示することができる。つぎに、扇子型ディスプレイ４００の表示画面４０５が半開き状態の表示例について説明する。図５において、扇子型ディスプレイ４００の表示画面４０５は、表示基板４０１ｃ〜４０１ｇによって構成されている。このように、表示画面４０５が半開き状態の場合には、表示画面４０５の大きさに応じて表示領域４２１を拡縮する。
【００５２】
また、扇子型ディスプレイ４００は、表示領域４２１や画像を拡大して表示することもできる。つぎに、表示領域４２１および映像を拡大して表示した例を示す。図８は、表示領域や映像を拡大して表示する例について示す説明図である。図８において、扇子型ディスプレイ４００の表示画面４０５は、表示基板４０１ａ〜４０１ｇによって構成されている。
【００５３】
ここでは、図４に示した表示領域４２１を縦横の拡大比率および映像を同じ比率により拡大している。図８中の点線によって示される領域（拡大領域８０１）は、図４に示した表示領域４２１を拡大した領域である。拡大領域８０１は、表示画面４０５内に収まらず、表示画面４０５に収まる領域のみが表示される。
【００５４】
上述した例では、表示画面４０５に映像を表示しているが、扇子型ディスプレイ４００は、立体映像を表示することもできる。立体映像は、たとえば、扇子型ディスプレイ４００により扇ぐ動作をした際に、扇子型ディスプレイ４００の扇面が往復する空間に立体映像を表示する。扇ぐ動作は、たとえば、加速度センサ７０５によって検出された親骨４０２の加速度を検出することによって検知することができる。
【００５５】
ここで、立体映像の表示は、たとえば、加速度センサ７０５によって加速度を検出した場合に、表示画面４０５に表示されている映像を点滅させる。このように映像を点滅させることにより扇ぐ動作をしている空間に映像の残像を映し出すことができる。
【００５６】
また、扇子型ディスプレイ４００に入力手段を設け、データ入力をすることもできる。図９は、中骨に設置された入力手段について示す説明図である。図９において、各中骨４０３には、複数のボタン９０１が設置されている。このボタン９０１を押下することにより、画像データの選択、文字入力、表示の切り替えなどをすることができる。また、ボタン９０１の代わりにタッチセンサを設けてもよい。
【００５７】
また、扇子型ディスプレイ４００を扇ぐ動作により発電することができる。発電は、たとえば扇子型ディスプレイ４００に発電ムーブメントを取り付け、扇子型ディスプレイ４００で扇ぐ動作により発電することができる。
【００５８】
また、上述した実施例１においては、複数の表示基板４０１を摺動することにより表示領域４２１を構成しているが、たとえば、蛇腹型扇子の扇面に複数の表示基板４０１あるいは表示フィルムを張り付けて表示領域４２１を構成してもよい。
【００５９】
以上説明したように、実施例１の扇子型ディスプレイによれば、各表示基板を摺動することにより表示画面を畳み込むことができ、収納する際に表示画面の物理的ストレスを低減し、破損を防ぐことができる。そのため、ディスプレイの長寿命化を図ることができる。
【実施例２】
【００６０】
つぎに、この発明の実施の形態にかかる表示装置１００の他の実施例（実施例２）について説明する。実施例１では、扇子型の形状を有するディスプレイについて説明したが、実施例２では、長方形状の表示画面を有するディスプレイについて説明する。図１０〜図１２は、この発明の実施例２にかかる長方形型ディスプレイを示す平面図である。具体的には、図１０は畳み込まれた状態、図１１は全開状態、図１２は半開き状態を示している。
【００６１】
図１０において、表示装置１０００は表示基板１００１（１００１ａ〜１００１ｅ）の５枚のパネルから構成されている。表示基板１００１ａ、１００１ｅはコントロール部１００２（１００２ａ、１００２ｅ）をそれぞれ備えた表示基板である。図１０では、表示基板１００１ａ、１００１ｅの縁部がコントロール部１００２ａ、１００２ｅとなっており、コントロール部１００２以外の他の部分は表示パネルとして機能する。
【００６２】
コントロール部１００２ａ、１００２ｅは前述した扇子型ディスプレイ４００における親骨４０２の機能、すなわちアンテナ７０１、復調部７０２、演算部７０３、各種センサを備えている部分である。コントロール部１００２ａ、１００２ｅには、さらに操作部１００３（１００３ａ、１００３ｅ）が配置されている。操作部１００３ａ、１００３ｅは操作者の指の動きを感知し、表示画像の制御をおこなうためのものである。また、コントロール部１００２ａ、１００２ｅに小型で薄型のスピーカを備えるようにし、映像をみながら音楽を楽しむように構成してもよい。
【００６３】
表示基板１００１ｂ、１００１ｃ、１００１ｄは表示機能に特化した表示基板であり、前述した扇子型ディスプレイにおける画像メモリ７１１、表示部７１２を有する。各表示基板１００１ａ〜１００１ｅはそれぞれスライドできる機構で一体化され、電気的に接続できるように構成されている。
【００６４】
図１１は表示基板１００１ａ〜１００１ｅが完全に開かれた状態であり、図１１では各表示基板１００１が所定の「のりしろ領域１１０２」を介して結合されている。また、コントロール部１００２ａと１００２ｅにより挟まれたエリアが表示領域１１０１である。具体的には、表示領域１１０１は、コントロール部１００２ａと１００２ｅにより挟まており、黒枠により囲まれている。この表示領域１１０１は、表示基板１００１の開き具合により表示領域１１０１を広くしたり狭くしたりすることができる。
【００６５】
図１２は表示基板１００１ａ〜１００１ｅを半開きした状態であり、この表示領域１１０１は、図１１に示した表示領域１１０１より狭くなっている。コントロール部１００２ａ、１００２ｅには、たとえば、永久磁石と磁気センサが備えられており、互いのコントロール部の永久磁石の磁力を測定することにより、コントロール部１００２ａとコントロール部１００２ｅ間の距離を測定することができる。永久磁石により測定された距離を検出することによりコントロール部１００２ａまたは１００２ｅは、表示領域１１０１の大きさを決定し、決定された表示領域１１０１に応じた画像を出力する。
【００６６】
また、コントロール部１００２ａ、１００２ｅ間の距離の測定は、たとえばコントロール部１００２ａ、１００２ｅ間の静電容量を測定することにより、その距離を求めてもよい。コントロール部１００２ａ、１００２ｅ間の距離の測定は、上述した方法に限らず、他の方法により測定してもよい。
【００６７】
ユーザが、たとえばコントロール部１００２ａを左手で保持し、コントロール部１００２ｅを右手で保持した状態で、両手を外側に移動させ表示基板１００１ａ〜１００１ｅを広げるような動作をした場合、それぞれの表示基板１００１ａ〜１００１ｅは均等にスライドするようになっている。つまり、特定の表示基板１００１のみがスライドするのではなく、全ての表示基板１００１が同じ距離だけスライドするように表示基板１００１ａ〜１００１ｅのジョイント機構が設計されている。これによりコントロール部１００２ａ、１００２ｅ間の距離が検出されれば、それぞれの表示基板１００１のどの領域を表示すればよいのか、すなわちそれぞれの表示基板１００１の重なりパターンが決定するため、コントロール部１００２ａ、１００２ｅは予め表示基板１００１のどの画素を表示するのかを決定することができる。
【００６８】
また、表示基板１００１ａ〜１００１ｅの両面が表示面として機能する構成であれば、コントロール部１００２ａ、１００２ｅに内蔵されているの加速度センサを用いて、どちらの面の表示面がユーザ側にあるか否かを判断することが可能である。そして、表示面の一方をコントロール部１００２ａで制御し、表示面の他方をコントロール部１００２ｅで制御するようにしてもよい。たとえば、ユーザが椅子に座り、左手で表示基板１００１ａ側を保持し右手で表示基板１００１ｅを保持しているとすると、加速度センサの重力の検出結果を用いて、表示基板１００１ａが左を向き、表示基板１００１ｅが右に向く表示面を、ユーザが見ている表示面と判断することが可能である。この場合は、コントロール部１００２ａにより表示装置１０００全体がコントロールされるようにすることができる。
【００６９】
また、表示装置１０００を使用しない場合には、表示画面を畳み込むことにより、表示画面に傷が付きにくくなる。また、表示画面を畳み込むことにより、コンパクトな形状とすることができる。そのため、表示装置の携帯性の向上と、長寿命化を図ることができる。
【００７０】
以上説明したように、実施例２によれば、各表示基板を摺動することにより表示画面を畳み込むことができ、収納する際に表示画面の物理的ストレスを低減し、破損を防ぐことができる。そのため、ディスプレイの長寿命化を図ることができる。
【図面の簡単な説明】
【００７１】
【図１】この発明の実施の形態にかかる表示装置を示す平面図（全開状態）である。
【図２】この発明の実施の形態にかかる表示装置を示す平面図（半開き状態）である。
【図３】この発明の実施の形態にかかる表示装置を示す平面図（畳み込まれた状態）である。
【図４】この発明の実施例１にかかる扇子型ディスプレイを示す平面図（全開状態）である。
【図５】この発明の実施例１にかかる扇子型ディスプレイを示す平面図（半開き状態）である。
【図６】この発明の実施例１にかかる扇子型ディスプレイを示す平面図（畳み込まれた状態）である。
【図７】この発明の実施例１にかかる扇子型ディスプレイのハードウェア構成の一例について示す説明図である。
【図８】表示領域や映像を拡大して表示する例について示す説明図である。
【図９】中骨に設置された入力手段について示す説明図である。
【図１０】この発明の実施例２にかかる長方形型ディスプレイを示す平面図（畳み込まれた状態）である。
【図１１】この発明の実施例２にかかる長方形型ディスプレイを示す平面図（全開状態）である。
【図１２】この発明の実施例２にかかる長方形型ディスプレイを示す平面図（半開き状態）である。
【符号の説明】
【００７２】
１００  表示装置
１０１  表示画面
１０２ａ〜１０２ｇ  表示基板
１０３  映像
１０４  表示領域
１０５  中骨
４００  扇子型ディスプレイ
４０１  表示基板
４０２  親骨
４０３  中骨
４０４  要
４０５  表示画面
４１０ａ  長辺
４１０ｂ  短辺
４１１  平行でない辺
４２１  表示領域
【図１】
2007114694.tif 000003
【図２】
2007114694.tif 000004
【図３】
2007114694.tif 000005
【図４】
2007114694.tif 000006
【図５】
2007114694.tif 000007
【図６】
2007114694.tif 000008
【図７】
2007114694.tif 000009
【図８】
2007114694.tif 000010
【図９】
2007114694.tif 000011
【図１０】
2007114694.tif 000012
【図１１】
2007114694.tif 000013
【図１２】
2007114694.tif 000014